(57)【要約】【課題】目的は、単独の作業者による取付け作業を可能としつつ、取付具の小型化を図ることである。【解決手段】貫通口Ｈを通過可能な着脱部材４を取付具１の本体部材２に着脱可能にすると共に、浴槽側壁Ｗの貫通口Ｈ縁部に係止する係止部２２を有するため、着脱部材４を本体部材２と独立して形成でき、取付具１の小型化が可能になる。また、本体部材２を貫通する孔部９を有し、着脱部材４は、孔部９に挿通可能に構成され、孔部９からの抜け落ちを防止する抜け止め部２０を有するため、着脱部材４の着脱が孔部９への挿入、引き抜き操作で容易に行うことができ、筐体３５の締付け時、孔部９にドライバ等の工具を挿入することで配管継手３３の共回り防止が図れる。【選択図】  図１
2010096463.tif 000002
【特許請求の範囲】
【請求項１】
浴槽側壁の外側に装着されると共に、凹部が形成された配管継手を有する循環アダプタを浴槽側壁の貫通口に取付けるための循環アダプタ取付具において、
前記凹部に挿入可能な本体部材と、
この本体部材に着脱可能で且つ本体部材に装着した状態で、前記貫通口を通過可能な着脱部材とを有し、
この着脱部材は、前記本体部材に装着された状態で、前記配管継手に挿入した本体部材を前記浴槽側壁の貫通口縁部に係止する係止部を有することを特徴とする循環アダプタ取付具。
【請求項２】
前記本体部材は、この本体部材を貫通する孔部を有し、
前記着脱部材は、前記孔部に挿通可能に構成され、前記孔部からの抜け落ちを防止する抜け止め部を有することを特徴とする請求項１に記載の循環アダプタ取付具。
【請求項３】
前記本体部材は、前記配管継手の取付け方向を示す方向表示部を有することを特徴とする請求項１または２に記載の循環アダプタ取付具。
【請求項４】
前記循環アダプタは、円筒形状の外周面に第２ねじ部を有すると共に、前記凹部の内周面に形成された第１ねじ部と前記第２ねじ部との螺合によって浴槽側壁に装着される筐体を有するものであって、
前記筐体に連結可能で、この筐体を前記配管継手に締結する締結部材を有し、
この締結部材は、前記筐体に連結可能な連結部と、前記筐体と連結状態で、前記本体部材が挿通可能で且つ回動可能な筒状部とから構成されることを特徴とする請求項１〜３の何れかに記載の循環アダプタ取付具。
【請求項５】
前記配管継手は、前記凹部底面から凹部開口方向に向かって突出する複数の突出部を有するものであって、
前記本体部材は、前記複数の突出部を夫々挿入可能な挿入部を複数有することを特徴とする請求項１〜４の何れかに記載の循環アダプタ取付具。
【発明の詳細な説明】
【技術分野】
【０００１】
本発明は、浴槽に取付けて使用される循環アダプタの取付具に関し、特に、作業者が単独で取付け作業可能な循環アダプタ取付具に関するものである。
【背景技術】
【０００２】
一般に、循環アダプタは、浴槽側壁に形成された貫通口の外側面に配置されると共に、屋外等に設置された熱供給装置に配管接続される配管継手と、浴槽側壁の内側から貫通口を介して配管継手に締結する筐体部材とによって浴槽側壁に装着される構造となっている。
【０００３】
このような循環アダプタの浴槽への取付け工程は、（１）浴槽の外にいる作業者が、配管継手を位置調整した状態で浴槽側壁に形成された貫通口に当接固定する。（２）この状態で、浴槽の内にいる作業者が、筒状の外部筐体を貫通口に挿入してから、配管継手に螺合して外部筐体と配管継手とを浴槽側壁を挟んだ状態で水密に固定する。（３）次に、筒状の内部筐体を外部筐体にねじ固定した後、最後にフィルタ部材を内部筐体の前面に取付ける。
【０００４】
また、施工治具である取付具を用いることで一人の作業者により循環アダプタの浴槽への取付けができるようにした技術も提案されている。特許文献１は、配管継手に内筒部分を形成すると共に、この内筒部分に嵌入可能な嵌入部と胴体部とこの胴体部よりも周囲に張出した掛止部とから構成される取付具を提案している。
【０００５】
特許文献１では、嵌入により一体化された配管継手と取付具とを貫通口から挿入した後、掛止部によって浴槽側壁の貫通口縁部に一旦取付具を係止することができ、浴槽外の作業者が浴槽内に移動して作業の続きを行うことができる。
【０００６】
更に、特許文献２は、特許文献１と略同様の構成で、取付具に上方位置の目印を設けると共に、配管継手の底面に断面非円形部を構成することによって、配管継手と取付具との位置合わせを可能とし、内部筐体の締結固定の際、外部筐体の共回りを防止する技術を提案している。
【０００７】
【特許文献１】特開平８−２６１５６６号公報
【特許文献２】特開２００７−５７２２３号公報
【発明の開示】
【発明が解決しようとする課題】
【０００８】
循環アダプタの浴槽への取付け工程は浴槽内外の作業が夫々存在することから、作業者が単独で取付け作業を行うためには、配管継手と連結した取付具を浴槽側壁の貫通口縁部に一旦係止、所謂仮置きすることが必要である。このため、前記両特許文献は、作業者の把持部を兼ねた掛止部を形成している。
【０００９】
筒状の内部筐体を外部筐体にねじ固定するためには、次の２通りの締結方法が考えられる。１つは、取付具と配管継手とを嵌入連結する前に、取付具を内部筐体に挿通しておく方法である。この手法では、浴槽内側から、内部筐体に挿通した取付具を貫通口から送り出す作業者が必要となり、単独の作業者による作業は困難である。
【００１０】
もう１つは、前記両特許文献に提案されるように、配管継手と連結した取付具を浴槽側壁の貫通口縁部に一旦係止した後、浴槽内側において掛止部を内部筐体に通す方法である。この手法であれば、作業者は係止される掛止部を把持して内部筐体に挿通することができ、単独作業可能である。
【００１１】
しかしながら、掛止部を内部筐体に挿通する場合、内部筐体は掛止部を通過させることができる充分な開口を有する必要があり、内部筐体の大型化、つまり取付具が使用できる循環アダプタが限られるという問題がある。胴体部を細くすることで掛止部の小型化を図ることが可能ではあるが、取付け作業時、作業者が掛止部を把持して配管継手を支持する状況があり、胴体部の極端な小型化は剛性上、困難である。
【００１２】
本発明の目的は、単独の作業者による取付け作業を可能としつつ、取付具の小型化を図ることである。
【課題を解決するための手段】
【００１３】
請求項１の発明は、浴槽側壁の外側に装着されると共に、凹部が形成された配管継手を有する循環アダプタを浴槽側壁の貫通口に取付けるための循環アダプタ取付具において、前記凹部に挿入可能な本体部材と、この本体部材に着脱可能で且つ本体部材に装着した状態で、前記貫通口を通過可能な着脱部材とを有し、この着脱部材は、前記本体部材に装着された状態で、前記配管継手に挿入した本体部材を前記浴槽側壁の貫通口縁部に係止する係止部を有することを特徴とする。
【００１４】
請求項１の発明では、貫通口を通過可能な着脱部材を設け、この着脱部材により、本体部材に着脱可能で且つ配管継手に挿入した本体部材を前記浴槽側壁の貫通口縁部に係止することができる。
【００１５】
請求項２の発明は、請求項１に記載の発明において、前記本体部材は、この本体部材を貫通する孔部を有し、前記着脱部材は、前記孔部に挿通可能に構成され、前記孔部からの抜け落ちを防止する抜け止め部を有することを特徴とする。
【００１６】
請求項３の発明は、請求項１または２に記載の発明において、前記本体部材は、前記配管継手の取付け方向を示す方向表示部を有することを特徴とする。
【００１７】
請求項４の発明は、請求項１〜３何れかに記載の発明において、前記循環アダプタは、円筒形状の外周面に第２ねじ部を有すると共に、前記凹部の内周面に形成された第１ねじ部と前記第２ねじ部との螺合によって浴槽側壁に装着される筐体を有するものであって、前記筐体に連結可能で、この筐体を前記配管継手に締結する締結部材を有し、この締結部材は、前記筐体に連結可能な連結部と、前記筐体と連結状態で、前記本体部材が挿通可能で且つ回動可能な筒状部とから構成されることを特徴とする。
【００１８】
請求項５の発明は、請求項１〜４の何れかに記載の発明において、前記配管継手は、前記凹部底面から凹部開口方向に向かって突出する複数の突出部を有するものであって、前記本体部材は、前記複数の突出部を夫々挿入可能な挿入部を複数有することを特徴とする。
【発明の効果】
【００１９】
請求項１の発明によれば、凹部に挿入可能な本体部材と、この本体部材に着脱可能で且つ本体部材に装着した状態で、前記貫通口を通過可能な着脱部材とを有し、この着脱部材は、前記本体部材に装着された状態で、前記配管継手に挿入した本体部材を前記浴槽側壁の貫通口縁部に係止する係止部を有するため、単独の作業者による取付け作業を可能としつつ、取付具の小型化を図ることができる。
【００２０】
つまり、貫通口を通過可能な着脱部材を取付具の本体部材に着脱可能にすると共に、浴槽側壁の貫通口縁部に係止する係止部を有するため、着脱部材を本体部材と独立して形成することができ、作業者単独作業と取付具の小型化との両立が可能になる。
【００２１】
請求項２の発明によれば、本体部材は、この本体部材を貫通する孔部を有し、前記着脱部材は、前記孔部に挿通可能に構成され、前記孔部からの抜け落ちを防止する抜け止め部を有するため、着脱部材の着脱が孔部への挿通、引き抜き操作で行うことができ、作業者の単独作業が容易になる。
【００２２】
請求項３の発明によれば、本体部材は、前記配管継手の取付け方向を示す方向表示部を有するため、往路復路の極性を有する循環アダプタにおいて、接続方向の確認ができ、その位置調整ができる。
【００２３】
請求項４の発明によれば、前記循環アダプタは、円筒形状の外周面に第２ねじ部を有すると共に、前記凹部の内周面に形成された第１ねじ部と前記第２ねじ部との螺合によって浴槽側壁に装着される筐体を有するものであって、前記筐体に連結可能で、この筐体を前記配管継手に締結する締結部材を有し、この締結部材は、前記筐体に連結可能な連結部と、前記筐体と連結状態で、前記本体部材が挿通可能で且つ回動可能な筒状部とから構成されるため、取付具により配管継手を支持した状態で、配管継手と筐体とを螺合締結することができる。
【００２４】
請求項５の発明によれば、配管継手は、前記凹部底面から凹部開口方向に向かって突出する複数の突出部を有するものであって、前記本体部材は、前記複数の突出部を夫々挿入可能な挿入部を複数有するため、配管継手と筐体とを螺合締結するに当り、配管継手の供回りを防止でき、配管継手の位置決めが確実になる。
【発明を実施するための最良の形態】
【００２５】
以下、本発明を実施する為の最良の形態について実施例に基づいて説明する。
【実施例】
【００２６】
図１〜図３に基づいて、本実施例に係る取付具を説明する。
図１は取付具１の全体図を示し、図２（ａ）は本体部材２の側面図を示し、図２（ｂ）は本体部材２の正面図を示し、図３（ａ）は締結部材３の側面図を示し、図３（ｂ）は締結部材３の背面図を示す。
【００２７】
図１に示すように、取付具１は、本体部材２と、締結部材３と、着脱部材４とから構成する。本体部材２と締結部材３と着脱部材４とは、何れも所定の剛性を有する樹脂、例えば、ポリアセタール、ポリプロピレン等で形成している。
【００２８】
図１及び図２に示すように、本体部材２は、中空棒状の胴体部５と、胴体部５の一端側先端に配置され、正面視で胴体部５より大径の接続部６とから構成される。胴体部５は、一端側の第１胴体部５ａと、他端側の第２胴体部５ｂとからなっている。また、循環アダプタの取付け施工時、上方に面する領域には、平坦状の上面７が第１胴体部５ａの一端側先端から第２胴体部５ｂの他端側後端まで形成されている。
【００２９】
第１胴体部５ａは、上面７を一辺とする断面略６角形とされている。第１胴体部５ａの他端側には、他端側領域に上面７から下面８まで第１胴体部５ａを上下に貫通する略筒状の孔部９と、上面７、下面８及び残りの４面夫々に軸心内方に向かって形成された楕円状の複数のリブ部１０（肉盗み部）が軸方向列状に形成されている。このリブ部１０によって、本体部材２の薄肉化を図ることができ、本体部材２の軽量化と、成形時の熱引けに起因する歪や変形の発生を防止している。
【００３０】
第２胴体部５ｂは、上面７と断面円弧状の円弧状部１１とから構成される。図２（ａ）に示すように、第２胴体部５ｂの上端は、第１胴体部５ａの上端と面一の上面７を形成し、円弧状部１１の下端は、第１胴体部５ａの下面８よりも下方、所謂第２胴体部５ｂの上下長は第１胴体部５ａの上下長よりも長く形成され、正面視で第１胴体部５ａの外形は第２胴体部５ｂの外形に収まるように構成している。また、第２胴体部５ｂにおける上面７の領域には、循環アダプタの取付け施工時、作業者に上面７が上方を向くよう注意を促す方向指示部１２が設けられている。
【００３１】
接続部６は、胴体部５の一端側先端に、胴体部５と同一軸心上に配置され、筒状に形成される。接続部６は、中空筒状の第１挿入部１３と、第１挿入部１３よりも小径の中空筒状の第２挿入部１４と、中空部１５とから構成している。第１挿入部１３と第２挿入部１４とは、後述する吸気ノズル５４と吸入部５７とが挿入可能な所定長さの中空部を備えている。図２ｂに示すように、循環アダプタの取付け施工時、方向指示部１２が上方を向く状態で、第１挿入部１３が、正面視で最上部に位置し、第２挿入部１４が斜め下方に位置するように配置されている。
【００３２】
図３に示すように、締結部材３は、他端側の断面略６角形の筒状部１６と、筒状部１６の一端側端部に形成され、軸心から放射状に上下左右に張出した連結部１７と、筒状部１６と連結部１７とを軸方向に貫通する略円形状の開口１８とから構成する。開口１８の半径は、円弧状部１１の半径以上に設定されており、第２胴体部５ｂが締結部材３の開口１８に挿通された際、締結部材３は、第２胴体部５ｂに対して回転可能で且つ軸方向に進退可能となっている。
【００３３】
上下左右に張出した連結部１７は、９０°毎に連結部１７を貫通する４つの孔１９，１９…を有しており、ビスの装着によって後述する循環アダプタ３０の筐体３５と連結可能となっている。孔１９は、後述する筐体３５のフランジ部３５ａに設けられた開口３５ｂと同半径の円上に配置されている。また、筒状部１６の形状は、作業者が通常保有している呼び寸法２５０ｍｍ、最大開口２９ｍｍのモンキレンチで締結作業が可能となるよう形成している。
【００３４】
着脱部材４は、孔部９よりも大径の一端に設けられた抜け止め部２０と、孔部９よりも小径のピン部２１と、着脱部材４を孔部９に挿通したとき、下面８から突出すると共に、浴槽の貫通口外縁に係止可能な係止部２２とから構成する。着脱部材４は浴槽の貫通口の径、例えば５ｃｍより短く、且つピン部２１の長さは本体部材２の太さ、所謂上面７と下面８との間隔よりも長く形成される。
【００３５】
次に、図４〜図７に基づいて、本実施例に係る循環アダプタの一例を説明する。
図４は循環アダプタの正面図、図５は図４のV−V線断面図、図６は図４のVI−VI線断面図、図７は図４のVII−VII線断面の配管継手部分を示す。
【００３６】
循環アダプタ３０は、浴槽側壁の外側に配設されると共に、内周面に第１ねじ部３１を形成した凹部３２を有する断面カップ状の配管継手３３と凹部３２内部に配置される筒状の筐体３５とを有している。筐体３５は、浴槽側壁の内部側から浴槽壁を貫通して設置されると共に、配管継手３３の内周面に形成された第１ねじ部３１と筐体３５の外周面に形成された第２ねじ部３４とは螺合可能に構成される。
【００３７】
配管継手３３と筐体３５とは、浴槽側に軸心方向から外方に張出す円環状のフランジ部３３ａ，３５ａとを備えており、環状パッキン３６，３７により浴槽壁とフランジ部３３ａ，３５ａとのシール性を確保している。筐体３５のフランジ部３５ａには、所定半径の円上に配置される開口３５ｂが軸心に対して２２．５°毎に１６ヶ所設置されている。
【００３８】
筐体３５の内周側には、開口３５ｂにボルト３８により固定される切替弁ケース３９が配設され、この切替弁ケース３９の表面には水平方向に開口する気泡噴流噴出口４０と図示しない吸込口とが設けられると共に、槽底方向に向かって後述する横穴状の追焚噴流噴出口４１が形成されている。循環アダプタ３０の浴槽側表面部分には、筐体３５のフランジ部３５ａと切替弁ケース３９とを覆う形で外カバー部材４２が装着されている。
【００３９】
配管継手３３の端壁部３３ｂには、吸入管４３と吐出管４４と吸気管４５の３つのポート部分が形成されており、吸入管４３は図示しない給湯器に繋がる往路と、吐出管４４は復路とに夫々連結されている。吸気管４５は、フィルタ、オリフィス及び逆止弁等を備えた図示しない吸気ユニットと吸気パイプを介して接続されている。
【００４０】
切替弁ケース３９は、筐体３５の内周面に嵌合する外筒部４６と、外筒部４６と協働して複数の機能空間を形成する内筒部４７とを備える。つまり、外筒部４６と内筒部４７とによって切替弁ケース３９内部には、気泡噴流噴出口４０が設けられる円柱状の旋回室４８及び旋回室４８に比べて小径とされ、吸込口が設けられる吸込室５３、更に、後述するように、旋回室４８と並設されると共に連通路５０で接続される旋回予備室５１、旋回予備室５１と並設されると共に追焚噴流噴出口４１と連通可能な供給室５２及び旋回予備室５１と供給室５２とに対して反浴槽側に直列状に配置される吸入室５３の５つの機能空間が存在している。
【００４１】
旋回室４８には浴槽側先端が円錐形状の吸気ノズル５４が配管継手３３の凹部３２底面から延設されている。この吸気ノズル５４の内部には吸気管４５と連通する吸気孔５５が設けられており、吸気孔５５から導入された空気を旋回室４８の長手方向中央部分に設けられた連通路開口５６に向けて供給するように構成されている。
【００４２】
図６に示すように、連通路５０はその接続方向が円柱状の旋回室４８に対して接線方向となるように連通されている。この構成により、旋回予備室５１から導入される湯水が旋回室４８の内周形状に沿って高速旋回することになり、空気の吸引、気泡の微細化及び所定周波数の超音波の発生等に適した旋回回転数を得ることができる。旋回予備室５１には、連通路開口５６の上流側に図示しない逆止弁が設置されており、吸入室５３からの湯水の流れのみを許容する、所謂配管接続の極性を有している。
【００４３】
図７に示すように、吸込室４９には、凹部３２底面から吸入管４３が縮径しながら延長されており、吸入管４３の先端部分には吸込室４９と同径で吸込室４９内部に圧入されると共に、吸気ノズル５４と比べて小径の吸入部５７が設置されている。つまり、配管継手３３の凹部３２底面からは、吸気ノズル５４と吸入管４３先端に設置された吸入部５７とが突出形成されており、循環アダプタ３０の設置状態で、吸気ノズル５４が、正面視で最上部に位置し、吸入部５７が斜め下方に位置するように配置されている。尚、吸気ノズル５４と吸入部５７とが、本発明の突出部の一例に相当している。
【００４４】
図５及び図６に示すように、切替弁ケース３９には、内筒部４７を貫通し、湯水の噴出口を気泡噴流噴出口４０と追焚噴流噴出口４１とに切替え制御する噴出口切替部材５８が設けられている。噴出口切替部材５８は、中央部分を内筒部４７に形成された受部５９によって摺動可能に支持される弁軸６０、弁軸６０の一端側である反浴槽側端部に装着される第１切替弁６１、第１切替弁６１と受部５９を挟んで他端側に設置された第２切替弁６２とから構成している。
【００４５】
受部５９に設けられる第１受座６３と弁軸６０の第１支持部６４との間にはバイアスバネ６５が配置され、弁軸６０の第２支持部６６と内筒部４７に固定される第２受座６７との間には形状記憶合金製バネ６８が配置されている。バイアスバネ６５と形状記憶合金製バネ６８との張力はバランスが保たれており、噴出口切替部材５８の位置は形状記憶合金製バネ６８の張力が変わらない限り変化しないように構成されている。
【００４６】
第１切替弁６１と第２切替弁６２との位置関係は、第２切替弁６２が供給室５２を閉鎖している時は第１切替弁６１が開弁し、逆に、第１切替弁６１が旋回予備室５１を閉鎖している時は第２切替弁６２が開弁するように構成されている。
【００４７】
手動操作部材６９は、弁軸６０の浴槽側端部に連結されており、手動操作部材６９を右側端部位置に手動操作したとき、弁軸６０を第２切替弁６２が閉弁し第１切替弁６１が開弁する位置になり、左側端部位置に手動操作したとき、弁軸６０を第２切替弁６２が開弁し第１切替弁６１が閉弁する位置になるように設定されている。
【００４８】
次に、図８〜図１１に基づき、取付具１を使用し、前述した循環アダプタ３０を浴槽側壁Ｗに取付ける場合の作業手順について説明する。
【００４９】
（手順１）
まず、図８に示すように、浴槽側壁Ｗの外側において、配管継手３３の凹部３２底面から突出する吸気ノズル５４と吸入部５７とを接続部６の第１挿入部１３と第２挿入部１４とに夫々挿入して、本体部材２と配管継手３３とを一体化する。第１挿入部１３と第２挿入部１４とは所定の長さを有すると共に、吸気ノズル５４と第１挿入部１３及び吸入部５７と第２挿入部１４とは密着状態で嵌合しているため、作業者が、胴体部５を把持して斜め下方に本体部材２を傾斜配置しても、配管継手３３は本体部材２から脱落しない状態となっている。
【００５０】
（手順２）
次に、図９に示すように、作業者は、着脱部材４を孔部９に挿通する。着脱部材４の挿通に当り、抜け止め部２０の下端を胴体部５の上面７に当接させ、係止部２２を下面８から充分に突出させる。本体部材２に着脱部材４を挿通した後、作業者は、配管継手３３と一体化された本体部材２の他端側の第２胴体部５ｂを浴槽側壁Ｗの貫通口Ｈに挿通し、着脱部材４が浴槽側壁Ｗの内側になるまで押し進める。尚、着脱部材４の全長は貫通口Ｈの径よりも短いため、貫通口Ｈを通過可能である。
【００５１】
着脱部材４が貫通口Ｈを通過し、浴槽側壁Ｗの内側に入った時点で、挿通を止め、着脱部材４の係止部２２を貫通口Ｈの縁部に一旦係止する。本体部材２と一体化された配管継手３３は傾斜配置となっているが、吸気ノズル５４と第１挿入部１３及び吸入部５７と第２挿入部１４とが嵌合しているため、配管継手３３は脱落しない。
【００５２】
本体部材２と一体化された配管継手３３を貫通口Ｈの縁部に一旦係止した状態で、作業者は、浴槽側壁Ｗの内側に移動する。作業者は、第２胴体部５ｂを把持して、配管継手３３のフランジ部３３ａを貫通口Ｈ周りの浴槽側壁Ｗに当接するよう引寄せると共に、抜け止め部２０及び方向指示部１２に基づき上面７が上方を向くように位置調整する。上面７が上方を向くことで、気泡噴流噴出口４０を循環アダプタ３０の最上部に配置でき、更に、吸入管４３及び吐出管４４に対して誤配管接続が防止できる。
【００５３】
（手順３）
その後、図１０に示すように、着脱部材４を孔部９から引抜き、筐体３５を第２胴体部５ｂの他端側端部から挿通するとともに、配管継手３３の第１ねじ部３１と筐体３５の第２ねじ部３４とを螺合する。取付具１の係止部２２を着脱可能な別部材としたため、小型の筐体３５であっても第２胴体部５ｂを挿通できる。尚、説明の便宜上、図１０及び図１１では、浴槽側壁Ｗ及び貫通口Ｈを省略したものを示している。
【００５４】
第１ねじ部３１と第２ねじ部３４とを螺合するに当り、孔部９にドライバ等の工具を挿通して本体部材２の共回りを防止できる。また、吸気ノズル５４と吸入部５７と配管継手３３との軸心が夫々異なるため、本体部材２を固定することにより配管継手３３の共回りを防止できる。
【００５５】
（手順４）
筐体３５を配管継手３３にある程度螺合させた段階で、締結部材３を筐体３５に連結する。締結部材３の連結部１７を筐体３５に対向させた状態で、第２胴体部５ｂの他端側端部が開口１８を通過するように移動させる。開口１８の半径は、円弧状部１１の半径以上に設定されており、また、正面視で第１胴体部５ａの外形は第２胴体部５ｂの外形に収まるように構成されるため、締結部材３は筐体３５のフランジ部３５ａに当接するまで進行可能である。
【００５６】
締結部材３の連結部１７と筐体３５のフランジ部３５ａとが当接した後、図１１に示すように、連結部１７の孔１９とフランジ部３５ａの開口３５ｂとを位置合わせすると共に、４つのビス７０によって締結部材３と筐体３５とを連結する。４つの孔１９，１９…は９０°毎に配置され、複数の開口３５ｂが軸心に対して２２．５°毎に１６ヶ所設置されるため、４つの孔１９，１９…は、何れかの開口３５ｂと一致させることが可能である。
【００５７】
締結部材３と筐体３５との連結後、断面略６角形の筒状部１６をモンキレンチ等により規定のトルクになるまで配管継手３３に締付ける。配管継手３３の共回り防止のため、孔部９にドライバ等の工具を挿通して固定することも可能である。締付け完了後、ビス７０、締結部材３及び本体部材２を取外し、配管継手３３と筐体３５との浴槽側壁Ｗへの取付が完了する。この後、切替弁ケース３９及び外カバー部材４２が装着される。
【００５８】
次に、本取付具１の作用効果について、説明する。
貫通口Ｈを通過可能な着脱部材４を取付具１の本体部材２に着脱可能にすると共に、浴槽側壁Ｗの貫通口Ｈ縁部に係止する係止部２２を有するため、着脱部材４を本体部材２と独立して形成でき、単独の作業者による取付け作業が可能になると共に、取付具１の小型化が可能になる。
【００５９】
また、本体部材２を貫通する孔部９を有し、着脱部材４は、孔部９に挿通可能に構成され、孔部９からの抜け落ちを防止する抜け止め部２０を有するため、着脱部材４の着脱が孔部９への挿通、引き抜き操作で容易に行うことができ、作業者の単独作業が容易になる。しかも、筐体３５の締付け時、孔部９にドライバ等の工具を挿通することで配管継手３３の共回り防止が図れる。
【００６０】
本体部材２の上面７に、配管継手３３の取付け方向を示す方向表示部１２を有するため、往路復路の極性を有する循環アダプタ３０において、接続方向の確認ができ、その位置調整ができる。
【００６１】
筐体３５に連結可能な締結部材３を設け、締結部材３を、筐体３５に連結可能な連結部１７と、本体部材２が挿通可能で且つ回動可能な筒状部１６とから構成するため、取付具１により配管継手３３を支持した状態で、配管継手３３と筐体３５とを螺合締結することができる。
【００６２】
配管継手３３の凹部３２底面から突出する吸気ノズル５４と吸入部５７とに夫々挿入可能な第１挿入部１３と第２挿入部１４とを有するため、配管継手３３と筐体３５とを螺合締結するに当り、配管継手３３の供回りを防止できる。
【００６３】
次に、前記実施例を部分的に変更した変形例について説明する。
１〕前記実施例においては、方向表示部１２を孔部９と別に設置した例について説明したが、孔部９と兼用するものについても、本発明の取付具に適用できる。
【００６４】
２〕前記実施例においては、ピン状の着脱部材４の例について説明したが、楔状としても良く、また、断面矩形のものについても、本発明の取付具に適用できる。
【００６５】
３〕その他、当業者であれば、本発明の趣旨を逸脱することなく、前記実施例に種々の変更を付加した形態で実施可能であり、本発明はそのような変更形態も包含するものである。
【図面の簡単な説明】
【００６６】
【図１】本発明の実施例に係る取付具の全体図である。
【図２】本実施例に係る取付具の本体部材であって、図２（ａ）は側面図、図２（ｂ）は正面図である。
【図３】本実施例に係る取付具の締結部材であって、図３（ａ）は側面図、図３（ｂ）は正面図である。
【図４】本実施例に係る循環アダプタの正面図である。
【図５】図４におけるV−V線断面を示す図である。
【図６】図４におけるVI−VI線断面を示す図である。
【図７】図４におけるVII−VII線断面の配管継手部分を示す図である。
【図８】循環アダプタの取付作業に係る手順１の説明図である。
【図９】循環アダプタの取付作業に係る手順２の説明図である。
【図１０】循環アダプタの取付作業に係る手順３の説明図である。
【図１１】循環アダプタの取付作業に係る手順４の説明図である。
【符号の説明】
【００６７】
１      取付具
２      本体部材
３      締結部材
４      着脱部材
９      孔部
１２    方向指示部
１３    第１挿入部
１４    第２挿入部
１６    筒状部
１７    連結部
１８    開口
２２    係止部
３０    循環アダプタ
３１    第１ねじ部
３２    凹部
３３    配管継手
３４    第２ねじ部
３５    筐体
５４    吸気ノズル
５７    吸入部
Ｗ      浴槽側壁
Ｈ      貫通口
【図１】
2010096463.tif 000003
【図２】
2010096463.tif 000004
【図３】
2010096463.tif 000005
【図４】
2010096463.tif 000006
【図５】
2010096463.tif 000007
【図６】
2010096463.tif 000008
【図７】
2010096463.tif 000009
【図８】
2010096463.tif 000010
【図９】
2010096463.tif 000011
【図１０】
2010096463.tif 000012
【図１１】
2010096463.tif 000013